(57)【特許請求の範囲】
【請求項１】
ＯＦＤＭ信号を送受信する無線局相互間のうち送信側において、
送信データ系列を、異なるＯＦＤＭ信号に変換するために複数の変換処理から一つの変換処理を選択して送信ＯＦＤＭ信号を生成する処理と、
選択された変換処理を示す情報を前記送信ＯＦＤＭ信号に含めて送信する処理とを具備し、
ＯＦＤＭ信号を送受信する無線局相互間のうち受信側において、
前記送信ＯＦＤＭ信号を受信し、前記選択された変換処理を示す情報を検出する処理と、
検出した前記選択された変換処理を示す情報に基づいて、複数の逆変換処理から送信に用いられた変換処理に対応する逆変換処理を選択して前記送信ＯＦＤＭ信号を前記送信データ系列に変換する処理とを具備し、
送信側において、前記送信ＯＦＤＭ信号を再送する場合には、前回の送信で選択された変換処理とは異なる変換処理を選択することを特徴とするＯＦＤＭ信号送受信方法。
【請求項２】
前記送信に用いられた変換処理は、複数のスクランブル系列のうちの１つを前記送信データ系列に掛ける処理であり、
前記送信に用いられた変換処理に対応する逆変換処理は、複数のデスクランブル系列のうちの１つを前記ＯＦＤＭ信号から得たディジタルデータ系列に掛ける処理であることを特徴とする請求項１に記載のＯＦＤＭ信号送受信方法。
【請求項３】
前記送信に用いられた変換処理は、複数の符号化方法のうちの１つを前記送信データ系列に施す処理であり、
前記送信に用いられた変換処理に対応する逆変換処理は、複数の復号化方法のうちの１つを前記ＯＦＤＭ信号から得たディジタルデータ系列に施す処理であることを特徴とする請求項１に記載のＯＦＤＭ信号送受信方法。
【請求項４】
前記送信に用いられた変換処理は、複数のビットインターリーブ手順のうちの１つを用いて前記送信データ系列にビットインターリーブを施す処理であり、
前記送信に用いられた変換処理に対応する逆変換処理は、複数のビットデインターリーブ手順のうちの１つを用いて前記ＯＦＤＭ信号から得たディジタルデータ系列にビットデインターリーブを施す処理であることを特徴とする請求項１に記載のＯＦＤＭ信号送受信方法。
【請求項５】
前記送信に用いられた変換処理は、複数のサブキャリアインターリーブ手順のうちの１つを用いて前記送信データ系列から得たサブキャリア系列にサブキャリアインターリーブを施す処理であり、
前記送信に用いられた変換処理に対応する逆変換処理は、複数のサブキャリアデインターリーブ手順のうちの１つを用いて前記ＯＦＤＭ信号から得たサブキャリア系列にサブキャリアデインターリーブを施す処理であることを特徴とする請求項１に記載のＯＦＤＭ信号送受信方法。
【請求項６】
ＯＦＤＭ信号を送受信する無線局相互間のうち送信側において、
送信データ系列を、異なるＯＦＤＭ信号に変換するために複数の変換処理から一つの変換処理を選択して送信ＯＦＤＭ信号を生成する送信ＯＦＤＭ信号生成手段と、
選択された変換処理を示す情報を前記送信ＯＦＤＭ信号に含めて送信する手段とを具備し、
ＯＦＤＭ信号を送受信する無線局相互間のうち受信側において、
前記送信ＯＦＤＭ信号を受信し、前記選択された変換処理を示す情報を検出する検出手段と、
検出した前記選択された変換処理を示す情報に基づいて、複数の逆変換処理から送信に用いられた変換処理に対応する逆変換処理を選択して前記送信ＯＦＤＭ信号を前記送信データ系列に変換する手段とを具備し、
送信側において、前記送信ＯＦＤＭ信号を再送する場合は、前回の送信で選択された変換処理とは異なる変換処理を選択することを特徴とするＯＦＤＭ信号送受信装置。
【請求項７】
ＯＦＤＭ信号を送受信する無線局相互間で用いるＯＦＤＭ信号送信方法であって、
送信データ系列を、異なるＯＦＤＭ信号に変換するための複数の変換処理から一つの変換処理を選択して送信ＯＦＤＭ信号を生成する処理と、
選択された変換処理を示す情報を前記送信ＯＦＤＭ信号に含めて送信する処理とを具備し、
前記送信ＯＦＤＭ信号を再送する場合には、前回の送信で選択された変換処理とは異なる変換処理を選択することを特徴とするＯＦＤＭ信号送信方法。
【請求項８】
ＯＦＤＭ信号を送受信する無線局相互間のうち送信側に設けられ、
送信データ系列を、異なるＯＦＤＭ信号に変換するための複数の変換処理から一つの変換処理を選択して送信ＯＦＤＭ信号を生成するＯＦＤＭ信号生成手段と、
選択された変換処理を示す情報を前記送信ＯＦＤＭ信号に含めて送信する手段とを具備し、
前記ＯＦＤＭ信号を再送する場合には、前回の送信で選択された変換処理とは異なる変換処理を選択することを特徴とするＯＦＤＭ信号送信装置。
【発明の詳細な説明】
【０００１】
【発明の属する技術分野】
本発明は、ディジタルデータ系列をＯＦＤＭ信号を用いて無線伝送するためのＯＦＤＭ信号送受信方法、ＯＦＤＭ信号送受信装置、ＯＦＤＭ信号送信方法及びＯＦＤＭ信号送信装置に関する。
【０００２】
【従来の技術】
近年、屋内ならびに屋外での高速無線データ通信システムが注目されている。高速なデータ通信を実現する無線通信システムでは、電波伝播環境により生じる多重反射電波伝播（マルチパス伝播）による符号間干渉の軽減が必須である。
【０００３】
この符号間干渉による受信特性の劣化は、データ伝送速度が高速になるほど、またサービスエリアが広くなるほど大きくなる。従来から耐マルチパス受信技術として、最尤系列推定器（ＭＬＳＥ）や判定帰還形等化器（ＤＦＥ）等の適応自動等化器が多く検討されているが、高周波を利用した高速なデータ通信システムに適用すると、装置規模が大きくなってしまう。従って、小型化、低消費電力化、低コスト化が望まれる携帯端末への適応自動等化器の搭載は非現実的である。しかも、電波伝播モデルが明確に設定できない小ゾーン通信では、適応自動等化器の設計ができない。
【０００４】
そこで、原理的に劣悪なマルチパス電波伝播環境に耐性を持ち、高品質なデータ伝送が実現できるＯＦＤＭ（Ｏｒｔｈｏｇｎａｌ  Ｆｒｅｑｕｅｎｃｙ  Ｄｉｖｉｓｉｏｎ  Ｍｕｌｔｉｐｌｅｘｉｎｇ  ）（直交周波数分割多重）伝送方式が検討されている。ＯＦＤＭ信号には、送信波形の一部を複製したガード期間（冗長期間）が設けられており、このガード期間がマルチパス伝播歪みを吸収する。
【０００５】
しかし、ＯＦＤＭ信号は、広帯域で互いに独立なデータ系列で変調されたサブキャリアで構成されるため、ＯＦＤＭ信号時間波形の振幅特性は、サブキャリア数が増えるほどガウス性（正規分布）となる。それゆえ、シングルキャリア伝送方式と異なり、振幅変動と最大振幅値が大きく、送受信装置に幅広いダイナミックレンジを必要とする。従って、送信電力増幅器のバックオフを小さく設定した場合には、電力増幅による非線形歪みが生じてしまう。ＯＦＤＭ信号は非線形歪みを受けると、サブキャリア間の直交性が崩れ、急激に伝送特性が劣化する。このため、特に送信電力増幅器のバックオフを大きく設定しなければならず、送信電力増幅器の低効率化を余儀なくされる。
【０００６】
この解決策として、ＯＦＤＭシンボル（時間波形）ごとに送信電力を制御する方法が検討されている。この方式では、ＯＦＤＭシンボルをそのシンボル内のピーク振幅で正規化することにより、全てのＯＦＤＭシンボルでピーク電力を一定にする。ピーク電力が全シンボルで一定であるので、送信電力増幅器のバックオフ量を低減し、且つ一定にすることが可能となる。
【０００７】
しかしながら、結果的にこの方法では送信シンボル毎の送信電力が異なるので、伝送品質を一定にすることができない。従って、振幅変動が大きく、且つ大きな振幅のＯＦＤＭシンボルについては、平均電力の抑圧が大きく、結果的に伝送品質の劣化、すなわち伝送誤りが生じ易くなる。特にデータの再送制御を行うような通信システムでは、伝播環境が変化しない限り、何回再送しても受信できないシンボルが存在することもある。
【０００８】
そこで別の解決策として、所定伝送情報（ビット）に冗長情報（ビット）を付加してＯＦＤＭシンボルの時間波形の振幅変動や最大振幅値を抑圧し、送信電力増幅器の高効率動作と非線形歪みの低減を図る技術が検討されている。
【０００９】
これは、ＯＦＤＭ信号の送信波形を変化させて最大振幅値の低減を図る方法であるが、送信情報と冗長情報との組合せテーブルを送受信装置で持たねばならない。このテーブルは膨大なメモリ空間を必要とし、装置規模が大きくなってしまう。更に、受信機では、伝送誤りによってテーブルに存在しない組合せを受信すると、シンボル全体が受信不能となる可能性がある。
【００１０】
【発明が解決しようとする課題】
このように、従来、ＯＦＤＭ伝送においては、特別大規模な装置無しで送信電力増幅器を効率良く動作させるために、ＯＦＤＭシンボル毎に時間波形の最大振幅を正規化して送信する方法が採用されることがあるが、この方法では、送信ＯＦＤＭシンボル毎に伝送品質が変化するので、伝播誤りが生じ易く、更に再送制御が可能なデータ伝送には不向きであるという問題点があった。また、ＯＦＤＭシンボル毎の送信情報に冗長情報を付加して、ＯＦＤＭシンボルの時間波形の最大振幅値を抑圧する方法が採用されることもあるが、この方法では、送信情報と冗長情報との組合せテーブルを送受信装置が備える必要があり装置規模が増大してしまうと共に、テーブルに存在しない系列を受信すると受信データ系列全てを廃棄しなければならなくなるという問題点があった。
【００１１】
本発明はこのような問題点を解決するためになされたものであって、ＯＦＤＭ時間波形の振幅変動を抑圧し、送信平均電力を向上させることによりデータ伝送時の伝送誤りを軽減することができるＯＦＤＭ信号送受信方法、ＯＦＤＭ信号送受信装置、ＯＦＤＭ信号送信方法及びＯＦＤＭ信号送信装置を提供することを目的とする。
【００１２】
【課題を解決するための手段】
本発明の請求項１に係るＯＦＤＭ信号送受信方法は、ＯＦＤＭ信号を送受信する無線局相互間のうち送信側において、送信データ系列を、異なるＯＦＤＭ信号に変換するために複数の変換処理から一つの変換処理を選択して送信ＯＦＤＭ信号を生成する処理と、選択された変換処理を示す情報を前記送信ＯＦＤＭ信号に含めて送信する処理とを具備し、ＯＦＤＭ信号を送受信する無線局相互間のうち受信側において、前記送信ＯＦＤＭ信号を受信し、前記選択された変換処理を示す情報を検出する処理と、検出した前記選択された変換処理を示す情報に基づいて、複数の逆変換処理から送信に用いられた変換処理に対応する逆変換処理を選択して前記送信ＯＦＤＭ信号を前記送信データ系列に変換する処理とを具備し、送信側において、前記送信ＯＦＤＭ信号を再送する場合には、前回の送信で選択された変換処理とは異なる変換処理を選択することを特徴とするものである。
本発明の請求項６に係るＯＦＤＭ信号送受信装置は、ＯＦＤＭ信号を送受信する無線局相互間のうち送信側において、送信データ系列を、異なるＯＦＤＭ信号に変換するために複数の変換処理から一つの変換処理を選択して送信ＯＦＤＭ信号を生成する送信ＯＦＤＭ信号生成手段と、選択された変換処理を示す情報を前記送信ＯＦＤＭ信号に含めて送信する手段とを具備し、ＯＦＤＭ信号を送受信する無線局相互間のうち受信側において、前記送信ＯＦＤＭ信号を受信し、前記選択された変換処理を示す情報を検出する検出手段と、検出した前記選択された変換処理を示す情報に基づいて、複数の逆変換処理から送信に用いられた変換処理に対応する逆変換処理を選択して前記送信ＯＦＤＭ信号を前記送信データ系列に変換する手段とを具備し、送信側において、前記送信ＯＦＤＭ信号を再送する場合は、前回の送信で選択された変換処理とは異なる変換処理を選択することを特徴とするものであり、
本発明の請求項７に係るＯＦＤＭ送信方法は、ＯＦＤＭ信号を送受信する無線局相互間で用いるＯＦＤＭ信号送信方法であって、送信データ系列を、異なるＯＦＤＭ信号に変換するための複数の変換処理から一つの変換処理を選択して送信ＯＦＤＭ信号を生成する処理と、選択された変換処理を示す情報を前記送信ＯＦＤＭ信号に含めて送信する処理とを具備し、前記送信ＯＦＤＭ信号を再送する場合には、前回の送信で選択された変換処理とは異なる変換処理を選択することを特徴とするものであり、
本発明の請求項８に係るＯＦＤＭ送信装置は、ＯＦＤＭ信号を送受信する無線局相互間のうち送信側に設けられ、送信データ系列を、異なるＯＦＤＭ信号に変換するための複数の変換処理から一つの変換処理を選択して送信ＯＦＤＭ信号を生成するＯＦＤＭ信号生成手段と、選択された変換処理を示す情報を前記送信ＯＦＤＭ信号に含めて送信する手段とを具備し、前記ＯＦＤＭ信号を再送する場合には、前回の送信で選択された変換処理とは異なる変換処理を選択することを特徴とするものである。
【００１３】
本発明の請求項１において、送信側では、送信データ系列を異なるＯＦＤＭシンボルの時間波形に変換するため複数の変換処理から送信に用いる変換処理を選択する。これにより、送信するＯＦＤＭシンボルの時間波形を変化させることができ、ＯＦＤＭシンボルの最大振幅を低減させることが可能となる。また、選択した変換処理は識別子として送信ＯＦＤＭ信号に付加されて伝送される。受信側では、識別子によって送信側の変換処理に対応する逆変換処理を選択する。この逆変換処理によって受信したＯＦＤＭ信号から元の送信データ系列を得る。
【００１４】
本発明の請求項１０においては、ＯＦＤＭ信号生成手段によって送信データ系列は変換処理に基づくＯＦＤＭシンボルの時間波形に変換される。送信に用いられた変換処理を示す情報は識別子として送信ＯＦＤＭ信号に付加されて送信される。受信側においては、検出手段によって識別子が検出され、検出された識別子に基づく逆変換処理によって、受信されたＯＦＤＭ信号が元の送信データ系列に戻される。
【００１５】
【発明の実施の形態】
以下、図面を参照して本発明の実施の形態について詳細に説明する。図１は本発明に係るＯＦＤＭ信号送受信装置の一実施の形態を示すブロック図である。図１の実施の形態は本発明を無線通信システムを構成する基地局又は無線端末に適用した例である。
【００１６】
本実施の形態において、基地局は、送信データ系列に所定のスクランブル系列を掛けることによって、送信するＯＦＤＭシンボルの時間波形の最大振幅値を低くするようになっている。
【００１７】
図１において、送信系１のスクランブル部１０にはスクランブルを掛ける単位に区切られたディジタル送信データ系列が入力される。送信側は複数のスクランブル系列生成部１１＃１乃至１１＃Ｎを有している。スクランブル系列生成部１１＃１乃至１１＃Ｎは、夫々スクランブル系列＃１乃至＃Ｎを生成してスクランブル系列選択部１５に出力するようになっている。
【００１８】
スクランブル系列選択部１５は後述するスクランブル方法選択制御部１４に制御されて、入力されたスクランブル系列＃１乃至＃Ｎの１つを選択してスクランブル部１０に出力する。スクランブル部１０は送信データ系列に入力されたスクランブル系列を掛けて出力するようになっている。
【００１９】
スクランブル部１０からの送信データ系列は識別子付加部１６に与えられる。識別子付加部１６は、スクランブル方法選択制御部１４からスクランブルに用いられたスクランブル系列を示す情報が与えられており、この情報を識別子として送信データ系列に付加して変調部１７に出力するようになっている。
【００２０】
変調部１７は入力された送信データ系列を所定の変調方式でサブキャリア変調する。変調部１７の出力は送信ＯＦＤＭ信号生成部１８に供給される。送信ＯＦＤＭ信号生成部１８は、高速逆フーリエ変換（ＩＦＦＴ）による時間信号への変換処理及びマルチパスによる遅延波成分を吸収するためのガード期間付加処理等の信号処理を行ってＯＦＤＭシンボルを生成して送信部１９に出力する。
【００２１】
送信部１９は、入力されたＯＦＤＭシンボルにＤＡ変換処理、周波数変換処理、フィルタリング処理及び増幅処理等を施して送信信号を作成してアンテナ２０に供給する。アンテナ２０はＯＦＤＭ送信信号を放射する。
【００２２】
スクランブル方法選択制御部１４は、スクランブル系列選択部１５を制御して、所定の選択方法によってスクランブル系列を選択させるようになっている。例えば、スクランブル方法選択制御部１４は、スクランブル系列＃１から順番に選択させてもよく、ランダムに選択させてもよい。また、スクランブル方法選択制御部１４は、受信側から再送要求が発生した場合には、少なくとも同一データについては、前回と異なるスクランブル系列を選択させるようになっている。
【００２３】
また、スクランブル方法選択制御部１４は、送信ＯＦＤＭ信号生成部１８からのＯＦＤＭシンボルの最大振幅を検出し、この最大振幅が最小となるようにスクランブル系列を選択してもよい。更に、スクランブル方法選択制御部１４は、送信データ系列とＯＦＤＭシンボルの最大振幅値との対応を示すテーブルを備えて、最大振幅値が最小となるようにスクランブル系列を選択してもよい。
【００２４】
一方、受信系においては、アンテナ２１を介して受信された受信信号は受信部２２に供給される。受信部２２は、フィルタリング処理、増幅処理、周波数変換処理及びＡＤ変換処理等を行って、受信信号からＯＦＤＭシンボルを得る。このＯＦＤＭシンボルは受信ＯＦＤＭ信号復調部２３に供給される。
【００２５】
受信ＯＦＤＭ信号復調部２３は、入力されたＯＦＤＭシンボルに対してガード期間の除去処理、フーリエ変換処理、デマッピング処理等の復調処理を行って元のディジタルデータ系列を復調する。受信ＯＦＤＭ信号復調部２３からの復調ディジタルデータ系列はデスクランブル部２５及び識別子検出部２４に供給される。
【００２６】
識別子検出部２４は、復調されたディジタル系列から識別子を検出してデスクランブル方法選択制御部２６に出力する。受信系２においても、送信系１で用いたスクランブル系列＃１乃至＃Ｎに対応したデスクランブル系列＃１乃至＃Ｎを夫々発生するデスクランブル系列生成部２８＃１乃至２８＃Ｎを有している。デスクランブル系列生成部２８＃１乃至２８＃Ｎは発生したデスクランブル系列＃１乃至＃Ｎをデスクランブル系列選択部２７に出力する。
【００２７】
デスクランブル方法選択制御部２６は、識別子検出部２４の検出結果に基づいて、送信系１において用いられたスクランブル系列に対応するデスクランブル系列を選択するように、デスクランブル系列選択部２７を制御する。デスクランブル系列選択部２７は、デスクランブル方法選択制御部２６に制御されて、デスクランブル系列＃１乃至＃Ｎの１つを選択してデスクランブル部２５に出力する。
【００２８】
デスクランブル部２５は、与えられたデスクランブル系列を用いて受信データ系列をデスクランブルする。デスクランブル部２５によってデスクランブルされた受信データ系列が出力される。
【００２９】
次に、このように構成された実施の形態の動作について図２及び図３を参照して説明する。図２及び図３は本発明の一実施の形態に係るＯＦＤＭ信号送受信方法を示すフローチャートである。
【００３０】
基地局である送信系１からＯＦＤＭデータシンボルを送信し、無線端末である受信系２がＯＦＤＭデータシンボルを受信する場合の一例について説明する。
【００３１】
基地局では、送信データ系列にスクランブルが掛けられる。即ち、図２のステップＳ１  において、スクランブル方法選択制御部１４は、選択すべきスクランブル系列をスクランブル系列選択部１５に指示する。スクランブル系列選択部１５は、この指示に従ってスクランブル系列１１＃１乃至１１＃Ｎから出力されるスクランブル系列＃１乃至＃Ｎの１つを選択する。選択されたスクランブル系列がスクランブル部１０に与えられ、スクランブル部１０はステップＳ２  において送信データ系列にスクランブルを施す。
【００３２】
本実施の形態においては、スクランブル方法選択制御部１４は、スクランブルに用いられたスクランブル系列を示す情報を識別子付加部１６に供給している。識別子付加部１６によって、スクランブル系列を示す識別子が送信データ系列に付加される（ステップＳ３  ）。変調部１７は、識別子付加部１６の出力に所定の変調処理を施して送信ＯＦＤＭ信号生成部１８に出力する。
【００３３】
次に、ステップＳ４  おいて、送信ＯＦＤＭ信号生成部１８は、高速逆フーリエ変換（ＩＦＦＴ）による時間信号への変換処理及びマルチパスによる遅延波成分を吸収するためのガード期間付加処理等の信号処理を行ってＯＦＤＭシンボルを生成する。このＯＦＤＭ信号は送信部１９に与えられ、ＤＡ変換処理、周波数変換処理、フィルタリング処理及び増幅処理等が施された後、送信信号としてアンテナ１１０から送出される（ステップＳ５  ）。
【００３４】
送信ＯＦＤＭ信号生成部１８から出力されるＯＦＤＭシンボルの時間波形は、同一の送信データ系列であってもスクランブル系列によって変化し、その最大振幅も変化する。送信系１においては、複数のスクランブル系列＃１乃至＃Ｎから送信に用いるスクランブル系列を選択してスクランブルを掛けているので、ＯＦＤＭシンボルの時間波形の最大振幅を比較的小さくすることが可能である。
【００３５】
これにより、送信部１９における増幅を歪無く高効率で行うことができ、伝送誤りを低減することができる。
【００３６】
一方、受信系２である無線端末は、受信部２２によって伝送されたＯＦＤＭ信号を受信する（図３のステップＳ６  ）。受信ＯＦＤＭ信号復調部２３は、ステップＳ７  において、受信ＯＦＤＭシンボルに対して、ガード期間の除去処理、フーリエ変換処理、デマッピング処理等の復調処理を行って元のディジタルデータ系列を得る。
【００３７】
本実施の形態においては、復調されたディジタルデータ系列から識別子検出部２４によって識別子が検出される（ステップＳ８  ）。この識別子はデスクランブル方法選択制御部２６に与えられ、デスクランブル方法選択制御部２６は、送信系１で用いられたスクランブル系列に対応するデスクランブル系列を選択するようにデスクランブル系列選択部２７に指示を与える。
【００３８】
これにより、デスクランブル系列選択部２７は、デスクランブル系列生成部２８＃１乃至２８＃Ｎからのデスクランブル系列＃１乃至＃Ｎのうち、送信系１で用いられたスクランブル系列に対応するものを選択して（ステップＳ９  ）、デスクランブル部２５に出力する。
【００３９】
受信ＯＦＤＭ信号復調部２３からのディジタルデータ系列はデスクランブル部２５に与えられ、デスクランブル部２５において元のディジタルデータ系列に戻される（ステップＳ１０）。
【００４０】
送信系１からの送信信号に識別子が付加されているので、送信系１においてスクランブル系列を変更した場合でも、送受信機で組み合わせテーブルを備えることなく、受信系２において確実にデスクランブルすることができる。
【００４１】
ところで、送信系１において、スクランブル方法選択制御部１４が最適なスクランブル系列を選択させていない場合には、送信ＯＦＤＭ信号に伝送誤りが生じる可能性もある。この場合には、受信系において、伝送誤りが検出されると、再送要求が発生することがある。
【００４２】
このような再送要求が発生すると、送信系１は、再送要求があったデータを再送する。この場合には、スクランブル方法選択制御部１４は、再送前のデータに用いたスクランブル系列以外のスクランブル系列を選択するようにスクランブル系列選択部１５に指示する。これにより、送信ＯＦＤＭ信号生成部１８からのＯＦＤＭシンボルの時間波形は、前回出力したＯＦＤＭシンボルの時間波形よりも最大振幅が小さくなる可能性が高い。これにより、受信系２において再送されたデータを誤り無く受信できる可能性が高くなる。
【００４３】
このように、本実施の形態においては、複数のスクランブル系列から送信するディジタルデータ系列に掛けるスクランブル系列を選択することができるので、ＯＦＤＭ時間波形の振幅変動を抑圧し、送信平均電力を向上させることができる。これにより、伝送誤りを軽減させて、スループットを向上させることが可能となると共に、送受信装置の低消費電力化を図ることもできる。また、選択したスクランブル系列の情報を識別子として付加して送信しているので、送受信機において、組み合わせテーブルを備えることなくデスクランブルが可能である。
【００４４】
なお、本実施の形態においては、送信側は、複数のスクランブル系列生成部を並列に有する構成で記述してあるが、スクランブル系列生成に必要な生成多項式のみをメモリに蓄積しておくだけの構成でもよい。従って、スクランブル系列を示す識別子も、スクランブル系列そのものでなくてよく、送信側と受信側で取り決めた番号等の識別子であってもよいし、生成多項式を記述する１６進数や８進数の数字でもよい。これに対をなす受信側も、送信側と同様な構成でよい。
【００４５】
また、スクランブル部１０に入力される送信データ系列には、秘匿のためのスクランブルが施されていてもよい。
【００４６】
図４は本発明の他の実施の形態を示すブロック図である。図４において図１と同一の構成要素には同一符号を付して説明を省略する。
【００４７】
本実施の形態は、送信データ系列にスクランブルを施すのではなく符号化を施す点が図１の実施の形態と異なる。送信データ系列は符号化を施す単位に区切られて符号化部３０に供給される。送信側は複数の符号化方法記憶部３１＃１乃至３１＃Ｎを有している。符号化方法記憶部３１＃１乃至３１＃Ｎは、夫々記憶している符号化方法＃１乃至＃Ｎを符号化方法選択部３５に出力するようになっている。
【００４８】
符号化方法記憶部３１＃１乃至３１＃Ｎが記憶する符号化方法としては種々のものが考えられる。例えば、符号化方法としては、受信側で誤り符号を検出したり、検出した誤り符号の訂正を行うための誤り検出符号化や誤り訂正符号化が考えられる。
【００４９】
符号化方法選択部３５は符号化方法選択制御部３４に制御されて、入力された符号化方法＃１乃至＃Ｎの１つを選択して符号化部３０に出力する。符号化部３０は送信データ系列に入力された符号化方法を用いて符号化して識別子付加部１６に出力するようになっている。
【００５０】
符号化方法選択制御部３４は、符号化方法選択部３５を制御して、所定の選択方法によって符号化方法を選択させるようになっている。例えば、符号化方法選択制御部３４は、符号化方法＃１から順番に選択させてもよく、ランダムに選択させてもよい。また、符号化方法選択制御部３４は、受信側から再送要求が発生した場合には、少なくとも同一データについては、前回と異なる符号化方法を選択させるようになっている。
【００５１】
また、符号化方法選択制御部３４は、送信ＯＦＤＭ信号生成部１８からのＯＦＤＭシンボルの最大振幅を検出し、この最大振幅が最小となるように符号化方法を選択してもよい。更に、符号化方法選択制御部３４は、送信データ系列とＯＦＤＭシンボルの最大振幅値との対応を示すテーブルを備えて、最大振幅値が最小となるように符号化方法を選択してもよい。
【００５２】
一方、受信側においては、受信ＯＦＤＭ信号復調部２３からの復調ディジタルデータ系列は復号化部３９及び識別子検出部２４に供給される。識別子検出部２４は、復調されたディジタル系列から識別子を検出して復号化方法選択制御部３６に出力する。
【００５３】
受信側においても、送信側で用いた符号化方法＃１乃至＃Ｎに対応した復号化方法＃１乃至＃Ｎを夫々出力する復号化方法記憶部３８＃１乃至３８＃Ｎを有している。復号化方法記憶部３８＃１乃至３８＃Ｎは夫々記憶している復号化方法＃１乃至＃Ｎを復号化方法選択部３７に出力する。
【００５４】
復号化方法選択制御部３６は、識別子検出部２４の検出結果に基づいて、送信側において用いられた符号化方法に対応する復号化方法を選択するように、復号化方法選択部３７を制御する。復号化方法選択部３７は、復号化方法選択制御部３６に制御されて、復号化方法＃１乃至＃Ｎの１つを選択して復号化部３９に出力する。
【００５５】
復号化部３９は、与えられた復号化方法を用いて受信データ系列を復号化する。復号化部３９によって復号化された受信データ系列が出力される。
【００５６】
他の構成は、図１の実施の形態と同様である。
【００５７】
次に、このように構成された実施の形態の動作について説明する。
【００５８】
ディジタル送信データ系列は、符号化を行う単位に区切られて符号化部３０に入力される。符号化方法選択部３５は、符号化方法選択制御部３４に制御されて、複数の符号化方法＃１乃至＃Ｎのうちの１つを選択して符号化部３０に出力する。符号化部３０はディジタル送信データ系列を、指定された符号化方法で符号化して識別子付加部１６に出力する。識別子付加部１６には符号化方法選択制御部３４から符号化に用いられた符号化方法を示す情報が与えられており、識別子付加部１６は、この情報を識別子として送信データに付加して出力する。
【００５９】
送信側における他の処理は図１の実施の形態と同様である。送信ＯＦＤＭ信号生成部１８から出力されるＯＦＤＭシンボルの時間波形は、同一の送信データ系列であっても符号化方法によって変化し、その最大振幅も変化する。送信側においては、複数の符号化方法＃１乃至＃Ｎから送信に用いる符号化方法を選択して符号化を行っているので、ＯＦＤＭシンボルの時間波形の最大振幅を比較的小さくすることが可能である。
【００６０】
一方、受信側においては、受信ＯＦＤＭ信号復調部２３によって復調されたディジタルデータ系列は、識別子検出部２４及び復号化部３９に与えられる。識別子検出部２４が検出した識別子に基づいた復号化方法が選択されることは図１の実施の形態と同様である。復号化部３９は、選択された復号化方法を用いて受信ディジタルデータ系列を復号化して出力する。
【００６１】
他の作用は図１の実施の形態と同様である。
【００６２】
このように本実施の形態においては、複数の符号化方法から送信するディジタルデータ系列に施す符号化方法を選択することができるので、ＯＦＤＭ時間波形の振幅変動を抑圧し、送信平均電力を向上させることができる。これにより、伝送誤りを軽減させて、スループットを向上させることが可能となると共に、送受信装置の低消費電力化を図ることもできる。また、選択した符号化方法の情報を識別子として付加して送信しているので、送受信機において、組み合わせテーブルを備えることなく復号化が可能である。
【００６３】
また、送信側は、複数の符号化方法記憶部を並列に有する構成で記述してあるが、符号化に必要な生成多項式のみをメモリに蓄積しておくだけの構成でもよいし、生成多項式を記述する１６進数や８進数の数字でも良い。従って、符号化方法を示す識別子も、符号化方法そのものでなくてよく、送信側と受信側で取り決めた符号化方法と復号化方法との組みを表す番号等の識別子であってもよい。これに対をなす受信側も、送信側と同様な構成で良い。
【００６４】
図５は本発明の他の実施の形態を示すブロック図である。図５において図１と同一の構成要素には同一符号を付して説明を省略する。
【００６５】
本実施の形態は、送信データ系列にスクランブルを施すのではなくビットインターリーブを施す点が図１の実施の形態と異なる。送信データ系列はビットインターリーブを施す単位に区切られてビットインターリーブ部４０に供給される。送信側は複数のビットインターリーブ手順記憶部４１＃１乃至４１＃Ｎを有している。ビットインターリーブ手順記憶部４１＃１乃至４１＃Ｎは、夫々記憶しているビットインターリーブ手順＃１乃至＃Ｎをビットインターリーブ手順選択部４５に出力するようになっている。
【００６６】
ビットインターリーブ手順選択部４５はビットインターリーブ手順選択制御部４４に制御されて、入力されたビットインターリーブ手順＃１乃至＃Ｎの１つを選択してビットインターリーブ部４０に出力する。ビットインターリーブ部４０は送信データ系列を入力されたビットインターリーブ手順に従ってビットインターリーブして識別子付加部１６に出力するようになっている。
【００６７】
ビットインターリーブ手順選択制御部４４は、ビットインターリーブ手順選択部４５を制御して、所定の選択方法によってビットインターリーブ手順を選択させるようになっている。例えば、ビットインターリーブ手順選択制御部４４は、ビットインターリーブ手順＃１から順番に選択させてもよく、ランダムに選択させてもよい。また、ビットインターリーブ手順選択制御部４４は、受信側から再送要求が発生した場合には、少なくとも同一データについては、前回と異なるビットインターリーブ手順を選択させるようになっている。
【００６８】
また、ビットインターリーブ手順選択制御部４４は、送信ＯＦＤＭ信号生成部１８からのＯＦＤＭシンボルの最大振幅を検出し、この最大振幅が最小となるようにビットインターリーブ手順を選択してもよい。更に、ビットインターリーブ手順選択制御部４４は、送信データ系列とＯＦＤＭシンボルの最大振幅値との対応を示すテーブルを備えて、最大振幅値が最小となるようにビットインターリーブ手順を選択してもよい。
【００６９】
一方、受信側においては、受信ＯＦＤＭ信号復調部２３からの復調ディジタルデータ系列はビットデインターリーブ部４９及び識別子検出部２４に供給される。識別子検出部２４は、復調されたディジタル系列から識別子を検出してビットデインターリーブ手順選択制御部４６に出力する。
【００７０】
受信側においても、送信側で用いたビットインターリーブ手順＃１乃至＃Ｎに対応したビットデインターリーブ手順＃１乃至＃Ｎを夫々出力するビットデインターリーブ手順記憶部４８＃１乃至４８＃Ｎを有している。ビットデインターリーブ手順記憶部４８＃１乃至４８＃Ｎは夫々記憶しているビットデインターリーブ手順＃１乃至＃Ｎをビットデインターリーブ手順選択部４７に出力する。
【００７１】
ビットデインターリーブ手順選択制御部４６は、識別子検出部２４の検出結果に基づいて、送信側において用いられたビットインターリーブ手順に対応するビットデインターリーブ手順を選択するように、ビットデインターリーブ手順選択部４７を制御する。ビットデインターリーブ手順選択部４７は、ビットデインターリーブ手順選択制御部４６に制御されて、ビットデインターリーブ手順＃１乃至＃Ｎの１つを選択してビットデインターリーブ部４９に出力する。
【００７２】
ビットデインターリーブ部４９は、与えられたビットデインターリーブ手順に従って受信データ系列をビットデインターリーブすることによって元の順番のディジタルデータ系列を得る。ビットデインターリーブ部４９によってビットデインターリーブされた受信データ系列が出力される。
【００７３】
他の構成は、図１の実施の形態と同様である。
【００７４】
次に、このように構成された実施の形態の動作について説明する。
【００７５】
ディジタル送信データ系列は、ビットインターリーブを行う単位に区切られてビットインターリーブ部４０に入力される。ビットインターリーブ手順選択部４５は、ビットインターリーブ手順選択制御部４４に制御されて、複数のビットインターリーブ手順＃１乃至＃Ｎのうちの１つを選択してビットインターリーブ部４０に出力する。ビットインターリーブ部４０はディジタル送信データ系列を、指定されたビットインターリーブ手順に従ってビットインターリーブして識別子付加部１６に出力する。識別子付加部１６にはビットインターリーブ手順選択制御部４４からビットインターリーブに用いられたビットインターリーブ手順を示す情報が与えられており、識別子付加部１６は、この情報を識別子として送信データに付加して出力する。
【００７６】
送信側における他の処理は図１の実施の形態と同様である。送信ＯＦＤＭ信号生成部１８から出力されるＯＦＤＭシンボルの時間波形は、同一の送信データ系列であってもビットインターリーブ手順によって変化し、その最大振幅も変化する。送信側においては、複数のビットインターリーブ手順＃１乃至＃Ｎから送信に用いるビットインターリーブ手順を選択してビットインターリーブを行っているので、ＯＦＤＭシンボルの時間波形の最大振幅を比較的小さくすることが可能である。
【００７７】
一方、受信側においては、受信ＯＦＤＭ信号復調部２３によって復調されたディジタルデータ系列は、識別子検出部２４及びビットデインターリーブ部４９に与えられる。識別子検出部２４が検出した識別子に基づいたビットデインターリーブ手順が選択されることは図１の実施の形態と同様である。ビットデインターリーブ部４９は、選択されたビットデインターリーブ手順を用いて受信ディジタルデータ系列をビットデインターリーブして出力する。
【００７８】
他の作用は図１の実施の形態と同様である。
【００７９】
このように本実施の形態においては、複数のビットインターリーブ手順から送信するディジタルデータ系列に施すビットインターリーブ手順を選択することができるので、ＯＦＤＭ時間波形の振幅変動を抑圧し、送信平均電力を向上させることができる。これにより、伝送誤りを軽減させて、スループットを向上させることが可能となると共に、送受信装置の低消費電力化を図ることもできる。また、選択したビットインターリーブ手順の情報を識別子として付加して送信しているので、送受信機において、組み合わせテーブルを備えることなくビットデインターリーブが可能である。
【００８０】
また、送信側は、複数のビットインターリーブ手順記憶部を並列に有する構成で記述してあるが、ビットインターリーブに必要な並べ替えテーブルをメモリに蓄積しておくだけの構成でもよい。ビットインターリーブ手順を示す識別子は、並べ替えテーブルそのものを示す必要はなく、送信側と受信側で取り決めたビットインターリーブ手順とビットデインターリーブ手順との組み合わせを表す番号等でよい。これと対をなす受信側も、送信側と同様な構成でよい。
【００８１】
図６は本発明の他の実施の形態を示すブロック図である。図６において図１と同一の構成要素には同一符号を付して説明を省略する。
【００８２】
本実施の形態は、送信データ系列にスクランブルを施すのではなくサブキャリアインターリーブを施す点が図１の実施の形態と異なる。本実施の形態においては、変調部１７と送信ＯＦＤＭ信号生成部１８との間にサブキャリアインターリーブ部５０が設けられている。
【００８３】
本実施の形態においては、送信データ系列はＯＦＤＭシンボルを生成する単位に区切られて識別子付加部１６に供給される。識別子付加部１６は、後述するサブキャリアインターリーブ手順選択制御部５４から送信側で選択したサブキャリアインターリーブ手順についての情報が与えられており、この情報を識別子として送信データ系列に付加して変調部１７に出力するようになっている。
【００８４】
送信側は複数のサブキャリアインターリーブ手順記憶部５１＃１乃至５１＃Ｎを有している。サブキャリアインターリーブ手順記憶部５１＃１乃至５１＃Ｎは、夫々記憶しているサブキャリアインターリーブ手順＃１乃至＃Ｎをサブキャリアインターリーブ手順選択部５５に出力するようになっている。
【００８５】
サブキャリアインターリーブ手順選択部５５は、サブキャリアインターリーブ手順選択制御部５４に制御されて、入力されたサブキャリアインターリーブ手順＃１乃至＃Ｎの１つを選択してサブキャリアインターリーブ部５０に出力する。サブキャリアインターリーブ部５０は送信データ系列を入力されたサブキャリアインターリーブ手順に従ってサブキャリアインターリーブして送信ＯＦＤＭ信号生成部１８に出力するようになっている。
【００８６】
なお、サブキャリアインターリーブ部５０は、識別子に相当するサブキャリアについてはサブキャリアインターリーブしないようになっている。
【００８７】
サブキャリアインターリーブ手順選択制御部５４は、サブキャリアインターリーブ手順選択部５５を制御して、所定の選択方法によってサブキャリアインターリーブ手順を選択させると共に、選択するサブキャリアインターリーブ手順についての情報を識別子付加部１６に供給する。サブキャリアインターリーブ手順選択制御部５４による選択方法は種々考えられ、例えば、サブキャリアインターリーブ手順＃１から順番に選択させてもよく、ランダムに選択させてもよい。また、サブキャリアインターリーブ手順選択制御部５４は、受信側から再送要求が発生した場合には、少なくとも同一データについては、前回と異なるサブキャリアインターリーブ手順を選択させるようになっている。
【００８８】
また、サブキャリアインターリーブ手順選択制御部５４は、送信ＯＦＤＭ信号生成部１８からのＯＦＤＭシンボルの最大振幅を検出し、この最大振幅が最小となるようにサブキャリアインターリーブ手順を選択してもよい。更に、サブキャリアインターリーブ手順選択制御部５４は、送信データ系列とＯＦＤＭシンボルの最大振幅値との対応を示すテーブルを備えて、最大振幅値が最小となるようにサブキャリアインターリーブ手順を選択してもよい。
【００８９】
一方、受信側においては、受信部２２からのＯＦＤＭシンボルは、受信ＯＦＤＭ信号受信部６１に供給される。受信ＯＦＤＭ信号受信部６１は、入力されたＯＦＤＭシンボルに対してガード期間の除去処理及びフーリエ変換処理を行って、サブキャリアの状態に戻して識別子サブキャリア検出部６２及びサブキャリアデインターリーブ部５９に出力する。
【００９０】
識別子サブキャリア検出部６２は、再生されたサブキャリアから識別子のサブキャリアを検出して識別子サブキャリア復調部６３に出力する。識別子サブキャリア復調部６３は、識別子のサブキャリアを復調して識別子を得る。送信時に、識別子に相当するサブキャリアはサブキャリアインターリーブ対象外となっているので、識別子サブキャリア復調部６３によって識別子だけを復調することが可能である。この識別子はサブキャリアデインターリーブ手順選択制御部５６に供給される。
【００９１】
受信側においても、送信側で用いたサブキャリアインターリーブ手順＃１乃至＃Ｎに対応したサブキャリアデインターリーブ手順＃１乃至＃Ｎを夫々出力するサブキャリアデインターリーブ手順記憶部５８＃１乃至５８＃Ｎを有している。サブキャリアデインターリーブ手順記憶部５８＃１乃至５８＃Ｎは夫々記憶しているサブキャリアデインターリーブ手順＃１乃至＃Ｎをサブキャリアデインターリーブ手順選択部５７に出力する。
【００９２】
サブキャリアデインターリーブ手順選択制御部５６は、識別子の検出結果に基づいて、送信側において用いられたサブキャリアインターリーブ手順に対応するサブキャリアデインターリーブ手順を選択するように、サブキャリアデインターリーブ手順選択部５７を制御する。サブキャリアデインターリーブ手順選択部５７は、サブキャリアデインターリーブ手順選択制御部５６に制御されて、サブキャリアデインターリーブ手順＃１乃至＃Ｎの１つを選択してサブキャリアデインターリーブ部５９に出力する。
【００９３】
サブキャリアデインターリーブ部５９は、与えられたサブキャリアデインターリーブ手順に従って受信データのサブキャリアをサブキャリアデインターリーブすることによって元の順番のサブキャリアを得る。サブキャリアデインターリーブ部５９の出力は復調部６４に与えられる。復調部６４は、デマッピング処理及びビット判定等の処理によって、入力されたサブキャリアを受信データ系列に戻して出力するようになっている。
【００９４】
なお、サブキャリアインターリーブ手順選択制御部５４の制御方法は、上記各実施の形態と同様に、種々様々の方法を採用することができることは明らかである。
【００９５】
他の構成は、図１の実施の形態と同様である。
【００９６】
次に、このように構成された実施の形態の動作について説明する。
【００９７】
ディジタル送信データ系列は、ＯＦＤＭシンボルを生成する単位に区切られて識別子付加部１６に入力される。識別子付加部１６にはサブキャリアインターリーブ手順選択制御部５４からサブキャリアインターリーブに用いられたサブキャリアインターリーブ手順を示す情報が与えられており、識別子付加部１６は、この情報を識別子として送信データ系列に付加して出力する。
【００９８】
識別子付加部１６からの送信データ系列は変調部１７に与えられてサブキャリア変調される。本実施の形態においては、変調出力をサブキャリアインターリーブ部５０に供給する。
【００９９】
一方、サブキャリアインターリーブ手順選択部５５は、サブキャリアインターリーブ手順選択制御部５４に制御されて、複数のサブキャリアインターリーブ手順＃１乃至＃Ｎのうちの１つを選択してサブキャリアインターリーブ部５０に出力する。サブキャリアインターリーブ部５０は入力されたディジタル送信データ系列を、指定されたサブキャリアインターリーブ手順に従ってサブキャリアインターリーブして送信ＯＦＤＭ信号生成部１８に出力する。この場合には、識別子のサブキャリアはインターリーブされない。
【０１００】
送信側における他の処理は図１の実施の形態と同様である。送信ＯＦＤＭ信号生成部１８から出力されるＯＦＤＭシンボルの時間波形は、同一の送信データ系列であってもサブキャリアインターリーブ手順によって変化し、その最大振幅も変化する。送信側においては、複数のサブキャリアインターリーブ手順＃１乃至＃Ｎから送信に用いるサブキャリアインターリーブ手順を選択してサブキャリアインターリーブを行っているので、ＯＦＤＭシンボルの時間波形の最大振幅を比較的小さくすることが可能である。
【０１０１】
一方、受信側においては、受信部２２によって受信されたＯＦＤＭシンボルは受信ＯＦＤＭ信号受信部６１に与えられる。受信ＯＦＤＭ信号受信部６１によって、受信データはサブキャリアに戻されて、サブキャリアデインターリーブ部５９及び識別子サブキャリア検出部６２に供給される。
【０１０２】
識別子サブキャリア検出部６２は、識別子のサブキャリアを検出して識別子サブキャリア復調部６３に与え、識別子サブキャリア復調部６３は復調することにより識別子を得る。この識別子がサブキャリアデインターリーブ手順選択制御部５６に供給される。サブキャリアデインターリーブ手順選択制御部５６は、識別子に基づいて、送信側のサブキャリアインターリーブ手順に対応するサブキャリアデインターリーブ手順を選択させる。
【０１０３】
サブキャリアデインターリーブ手順選択部５７は、選択したサブキャリアデインターリーブ手順をサブキャリアデインターリーブ部５９に与える。これにより、受信サブキャリアはデインターリーブされて復調部６４に供給される。復調部６４は、元の順番に戻されたサブキャリアに対してデマッピング処理及びビット判定等の処理を施して、元の順データ系列を得る。
【０１０４】
他の作用は図１の実施の形態と同様である。
【０１０５】
このように本実施の形態においては、複数のサブキャリアインターリーブ手順から送信するディジタルデータ系列に施すサブキャリアインターリーブ手順を選択することができるので、ＯＦＤＭ時間波形の振幅変動を抑圧し、送信平均電力を向上させることができる。これにより、伝送誤りを軽減させて、スループットを向上させることが可能となると共に、送受信装置の低消費電力化を図ることもできる。また、選択したサブキャリアインターリーブ手順の情報を識別子として付加して送信しているので、送受信機において、組み合わせテーブルを備えることなくサブキャリアデインターリーブが可能である。
【０１０６】
また、送信側は、複数のサブキャリアインターリーブ手順記憶部を並列に有する構成で記述してあるが、サブキャリアインターリーブに必要な並べ替えテーブルをメモリに蓄積しておくだけの構成でもよい。サブキャリアインターリーブ手順を示す識別子は、並べ替えテーブルそのものを示す必要はなく、送信側と受信側で取り決めたサブキャリアインターリーブ手順とサブキャリアデインターリーブ手順との組み合わせを表す番号等でよい。これと対をなす受信側も、送信側と同様な構成でよい。
【０１０７】
上記各実施の形態においては、識別子を送信データ系列に識別子ビットとして付加する例である。この場合には、図７の説明図に示す付加の方法が考えられる。
【０１０８】
図７（ａ）は一つのＯＦＤＭシンボルを先頭の識別子ビット７０とそれに続く送信データビット系列７１で構成した例である。図７（ｂ）は一つのＯＦＤＭシンボルを先頭の送信データビット系列（１）７３と中央の識別子ビット７２とそれに続く送信データビット系列（２）７４で構成した例である。また、図７（ｃ）は一つのＯＦＤＭシンボルを先頭の送信データビット系列７６とそれに続く識別子ビット７５で構成した例である。
【０１０９】
図８は本発明の他の実施の形態を示すブロック図である。図８において図１と同一構成要素には同一符号を付して説明を省略する。本実施の形態は、識別子を識別子ビットとしてではなく、識別子サブキャリアとして付加する例を示している。本実施の形態は送信するＯＦＤＭシンボルの時間波形の最大振幅値を低くするために、送信データ系列にスクランブル系列を掛ける方法を採用している。
【０１１０】
変調部１７はスクランブル部１０の出力を所定の変調方式でＯＦＤＭサブキャリア変調して、送信データ系列に基づくＯＦＤＭサブキャリア系列を生成する。本実施の形態においては、変調部１７からのＯＦＤＭサブキャリア系列は、識別子サブキャリア付加部８１を介して送信ＯＦＤＭ信号生成部１８に供給されるようになっている。
【０１１１】
識別子サブキャリア付加部８１にはスクランブル方法選択制御部１４から送信側で選択したスクランブル系列についての情報が供給される。識別子サブキャリア付加部８１はこの情報を識別子として付加する。本実施の形態においては、識別子サブキャリア付加部８１は、識別子を変調部１７からのＯＦＤＭサブキャリア系列に識別子サブキャリアとして付加するようになっている。
【０１１２】
識別子サブキャリア付加部８１において識別子キャリアが付加されたＯＦＤＭサブキャリア系列は送信ＯＦＤＭ信号生成部１８に供給される。
【０１１３】
一方、受信側においては、受信部２２からのＯＦＤＭシンボルは、受信ＯＦＤＭ信号受信部８２に供給される。受信ＯＦＤＭ信号受信部８２は、入力されたＯＦＤＭシンボルに対してガード期間の除去処理及びフーリエ変換処理を行って、サブキャリア系列に戻して識別子サブキャリア検出部８４及び復調部８３に出力する。復調部８３は、サブキャリア系列に対してデマッピング処理及びビット判定等の処理を施して、ディジタルデータ系列に戻してデスクランブル部２５に出力する。
【０１１４】
識別子サブキャリア検出部８４は、再生されたサブキャリア系列から識別子のサブキャリアを検出して識別子サブキャリア復調部８５に出力する。識別子サブキャリア復調部８５は、識別子のサブキャリアを復調して識別子を得る。この識別子はデスクランブル方法選択制御部２６に供給される。
【０１１５】
これにより、本実施の形態においても図１の実施の形態と同様に、送信側で用いられたスクランブル系列に対応したデスクランブル系列が選択されてデスクランブル部２５に供給される。
【０１１６】
他の構成は図１の実施の形態と同様である。
【０１１７】
次に、このように構成された実施の形態の動作について説明する。
【０１１８】
基地局では、送信データ系列にスクランブルが掛けられる。即ち、スクランブル方法選択制御部１４は、選択すべきスクランブル系列をスクランブル系列選択部１５に指示する。スクランブル系列選択部１５は、この指示に従ってスクランブル系列１１＃１乃至１１＃Ｎから出力されるスクランブル系列＃１乃至＃Ｎの１つを選択する。選択されたスクランブル系列がスクランブル部１０に与えられ、スクランブル部１０は送信データ系列にスクランブルを施す。スクランブル部１０の出力は変調部１７によってＯＦＤＭサブキャリア系列に変換されて識別子サブキャリア付加部８１に供給される。
【０１１９】
本実施の形態においては、スクランブル方法選択制御部１４は、スクランブルに用いられたスクランブル系列を示す情報を識別子サブキャリア付加部８１に供給している。識別子サブキャリア付加部８１によって、スクランブル系列を示す識別子が識別子サブキャリアとして付加される。
【０１２０】
識別子サブキャリアが付加されたＯＦＤＭサブキャリアは、送信ＯＦＤＭ信号生成部１８に与えられて、高速逆フーリエ変換（ＩＦＦＴ）による時間信号への変換処理及びマルチパスによる遅延波成分を吸収するためのガード期間付加処理等の信号処理が行われてＯＦＤＭシンボルが生成される。
【０１２１】
送信側における他の処理は図１の実施の形態と同様である。このように、送信側においては、識別子サブキャリアによって識別子を受信側に伝送する。
【０１２２】
一方、受信側の無線端末は、受信部２２からのＯＦＤＭシンボルは受信ＯＦＤＭ信号受信部８２に与えられる。受信ＯＦＤＭ信号受信部８２によって、受信データはサブキャリア系列に戻されて、復調部８３及び識別子サブキャリア検出部８４に供給される。復調部８３はサブキャリア系列を元のディジタルデータ系列に戻してデスクランブル部２５に出力する。
【０１２３】
識別子サブキャリア検出部８４は、識別子のサブキャリアを検出して識別子サブキャリア復調部８５に与え、識別子サブキャリア復調部８５は復調することにより識別子を得る。この識別子がデスクランブル方法選択制御部２６に供給される。デスクランブル方法選択制御部２６は、識別子に基づいて、送信側のスクランブル方法に対応するデスクランブル方法を選択させる。
【０１２４】
デスクランブル系列選択部２７は、選択したデスクランブル方法をデスクランブル部２５に与える。これにより、受信ディジタルデータ系列はデスクランブルされて元の受信データ系列が得られる。
【０１２５】
他の作用は図１の実施の形態と同様である。
【０１２６】
このように本実施の形態においては、送信ＯＦＤＭサブキャリア系列に直接識別子を挿入しており、図１の実施の形態と同様の効果を得ることができる。
【０１２７】
また、本実施の形態においては、送信側では、複数のスクランブル系列生成部を並列に有する構成で記述してあるが、スクランブル系列生成に必要な生成多項式のみをメモリに蓄積しておくだけの構成でもよい。従って、スクランブル系列を示す識別子も、スクランブル系列そのものでなくてよく、送信側と受信側で取り決めた番号等の識別子であってもよいし、生成多項式を記述する１６進数や８進数の数字でもよい。これに対をなす受信側も、送信側と同様な構成でよい。
【０１２８】
図９は本発明の他の実施の形態を示すブロック図である。図９において図４及び図８と同一の構成要素には同一符号を付して説明を省略する。
【０１２９】
本実施の形態は、ＯＦＤＭシンボルの時間波形を変化させるために符号化方法を選択すると共に、識別子をサブキャリアによって伝送するようにした例である。
【０１３０】
本実施の形態は、送信データ系列にスクランブルを施すのではなく符号化を施す点が図８の実施の形態と異なる。送信データ系列は符号化を施す単位に区切られて符号化部３０に供給される。送信側において複数の符号化方法＃１乃至＃Ｎから１つを選択して符号化部３０で用いることは図４の実施の形態と同様である。
【０１３１】
また、符号化方法選択制御部３４は選択した符号化方法の情報を識別子サブキャリア付加部８１に出力する。識別子サブキャリア付加部８１が識別子を識別子サブキャリアによって伝送することは図８の実施の形態と同様である。
【０１３２】
一方、受信側においては、復調部８３からのディジタルデータ系列は復号化部３９に与えられる。受信側においては、復号化方法選択制御部３６によって、送信側で用いた符号化方法＃１乃至＃Ｎに対応した復号化方法＃１乃至＃Ｎが選択されており、復号化部３９は、指定された復号化方法で復号を行うことによって、元のディジタルデータ系列を復元して出力するようになっている。
【０１３３】
他の構成は、図４及び図８の実施の形態と同様である。
【０１３４】
次に、このように構成された実施の形態の動作について説明する。
【０１３５】
ディジタル送信データ系列は、符号化を行う単位に区切られて符号化部３０に入力される。符号化方法選択部３５は、符号化方法選択制御部３４に制御されて、複数の符号化方法＃１乃至＃Ｎのうちの１つを選択して符号化部３０に出力する。符号化部３０はディジタル送信データ系列を、指定された符号化方法で符号化して変調部１７に出力する。変調部１７によってサブキャリア系列が得られて、識別子サブキャリア付加部８１を介して送信ＯＦＤＭ信号生成部１８に供給される。
【０１３６】
識別子サブキャリア付加部８１には符号化方法選択制御部３４から符号化に用いられた符号化方法を示す情報が与えられており、識別子サブキャリア付加部８１は、この情報を識別子サブキャリアとして送信データに基づくサブキャリア系列に付加して出力する。
【０１３７】
送信側における他の処理は図４及び図８の実施の形態と同様である。送信ＯＦＤＭ信号生成部１８から出力されるＯＦＤＭシンボルの時間波形は、同一の送信データ系列であっても符号化方法によって変化し、その最大振幅も変化する。送信側においては、複数の符号化方法＃１乃至＃Ｎから送信に用いる符号化方法を選択して符号化を行っているので、ＯＦＤＭシンボルの時間波形の最大振幅を比較的小さくすることが可能である。
【０１３８】
一方、受信側においては、受信部２２からのＯＦＤＭシンボルは受信ＯＦＤＭ信号受信部８２に与えられて、サブキャリア系列が得られる。このサブキャリア系列は復調部８３によってディジタルデータ系列に復調されて復号化部３９に与えられる。
【０１３９】
また、受診ＯＦＤＭ信号受信部８２の出力は識別子サブキャリア検出部８４にも与えられて識別子サブキャリアが検出される。識別子サブキャリアから復調された識別子は復号化方法選択制御部３６に与えられて、送信側の符号化に対応した復号化方法が選択される。
【０１４０】
復号化部３９は指定された復号化方法で復調部８３の出力を復号化することによって、受信ディジタルデータ系列を得る。
【０１４１】
他の作用は図４及び図８の実施の形態と同様である。
【０１４２】
このように、本実施の形態においては、図４及び図８の実施の形態と同様の効果が得られることは明らかである。
【０１４３】
また、送信側では、複数の符号化方法を並列に有する構成で記述してあるが、符号化に必要な生成多項式のみをメモリに蓄積しておくだけの構成でもよい。また、符号化方法を示す識別子も、符号化を表現する生成多項式そのものでなくてよく、送信側と受信側で取り決めた番号等の識別子でもよいし、生成多項式を記述する１６進数や８進数の数字でもよい。これに対をなす受信側も、送信側と同様な構成でよい。
【０１４４】
図１０は本発明の他の実施の形態を示すブロック図である。図１０において図５及び図８と同一の構成要素には同一符号を付して説明を省略する。
【０１４５】
本実施の形態は、ＯＦＤＭシンボルの時間波形を変化させるためにビットインターリーブ手順を選択すると共に、識別子をサブキャリアによって伝送するようにした例である。
【０１４６】
本実施の形態は、送信データ系列にスクランブルを施すのではなくビットインターリーブを施す点が図８の実施の形態と異なる。送信データ系列はビットインターリーブを施す単位に区切られてビットインターリーブ部４０に供給される。送信側において複数のビットインターリーブ手順＃１乃至＃Ｎから１つを選択してビットインターリーブ部４０で用いることは図５の実施の形態と同様である。
【０１４７】
また、ビットインターリーブ手順選択制御部４４は選択したビットインターリーブ手順の情報を識別子サブキャリア付加部８１に出力する。識別子サブキャリア付加部８１が識別子を識別子サブキャリアによって伝送することは図８の実施の形態と同様である。
【０１４８】
一方、受信側においては、復調部８３からのディジタルデータ系列はビットデインターリーブ部４９に与えられる。受信側においては、ビットデインターリーブ手順選択制御部４６によって、送信側で用いたビットインターリーブ手順＃１乃至＃Ｎに対応したビットデインターリーブ手順＃１乃至＃Ｎが選択されており、ビットデインターリーブ部４９は、指定されたビットデインターリーブ手順で復号を行うことによって、元のディジタルデータ系列を復元して出力するようになっている。
【０１４９】
他の構成は、図５及び図８の実施の形態と同様である。
【０１５０】
次に、このように構成された実施の形態の動作について説明する。
【０１５１】
ディジタル送信データ系列は、ビットインターリーブを行う単位に区切られてビットインターリーブ部４０に入力される。ビットインターリーブ手順選択部４５は、ビットインターリーブ手順選択制御部４４に制御されて、複数のビットインターリーブ手順＃１乃至＃Ｎのうちの１つを選択してビットインターリーブ部４０に出力する。ビットインターリーブ部４０はディジタル送信データ系列を、指定されたビットインターリーブ手順でビットインターリーブして変調部１７に出力する。変調部１７によってサブキャリア系列が得られて、識別子サブキャリア付加部８１を介して送信ＯＦＤＭ信号生成部１８に供給される。
【０１５２】
識別子サブキャリア付加部８１にはビットインターリーブ手順選択制御部４４からビットインターリーブに用いられたビットインターリーブ手順を示す情報が与えられており、識別子サブキャリア付加部８１は、この情報を識別子サブキャリアとして送信データに基づくサブキャリア系列に付加して出力する。
【０１５３】
送信側における他の処理は図５及び図８の実施の形態と同様である。送信ＯＦＤＭ信号生成部１８から出力されるＯＦＤＭシンボルの時間波形は、同一の送信データ系列であってもビットインターリーブ手順によって変化し、その最大振幅も変化する。送信側においては、複数のビットインターリーブ手順＃１乃至＃Ｎから送信に用いるビットインターリーブ手順を選択してビットインターリーブを行っているので、ＯＦＤＭシンボルの時間波形の最大振幅を比較的小さくすることが可能である。
【０１５４】
一方、受信側においては、受信部２２からのＯＦＤＭシンボルは受信ＯＦＤＭ信号受信部８２に与えられて、サブキャリア系列が得られる。このサブキャリア系列は復調部８３によってディジタルデータ系列に復調されてビットデインターリーブ部４９に与えられる。
【０１５５】
また、受診ＯＦＤＭ信号受信部８２の出力は識別子サブキャリア検出部８４にも与えられて識別子サブキャリアが検出される。識別子サブキャリアから復調された識別子はビットデインターリーブ手順選択制御部４６に与えられて、送信側のビットインターリーブに対応したビットデインターリーブ手順が選択される。
【０１５６】
ビットデインターリーブ部４９は指定されたビットデインターリーブ手順で復調部８３の出力をビットデインターリーブすることによって、受信ディジタルデータ系列を得る。
【０１５７】
他の作用は図５及び図８の実施の形態と同様である。
【０１５８】
このように、本実施の形態においては、図５及び図８の実施の形態と同様の効果が得られることは明らかである。
【０１５９】
また、送信側は、複数のビットインターリーブ手順記憶部を並列に有する構成で記述してあるが、ビットインターリーブに必要な並べ替えテーブルをメモリに蓄積しておくだけの構成でもよい。ビットインターリーブ手順を示す識別子は、並べ替えテーブルそのものを示す必要はなく、送信側と受信側で取り決めたビットインターリーブ手順とビットデインターリーブ手順との組み合わせを表す番号等でよい。これと対をなす受信側も、送信側と同様な構成でよい。
【０１６０】
図１１は本発明の他の実施の形態を示すブロック図である。図１０において図６及び図８と同一の構成要素には同一符号を付して説明を省略する。
【０１６１】
本実施の形態は、ＯＦＤＭシンボルの時間波形を変化させるためにサブキャリアインターリーブ手順を選択すると共に、識別子をサブキャリアによって伝送するようにした例である。
【０１６２】
本実施の形態は、送信データ系列にスクランブルを施すのではなくサブキャリアインターリーブを施す点が図８の実施の形態と異なる。送信データ系列はＯＦＤＭシンボルを生成する単位に区切られて変調部１７に供給される。変調部１７によってサブキャリア変調された送信サブキャリア系列がサブキャリアインターリーブ部５０に供給される。送信側において複数のサブキャリアインターリーブ手順＃１乃至＃Ｎから１つを選択してサブキャリアインターリーブ部５０で用いることは図６の実施の形態と同様である。
【０１６３】
また、サブキャリアインターリーブ手順選択制御部５４は選択したサブキャリアインターリーブ手順の情報を識別子サブキャリア付加部８１に出力する。識別子サブキャリア付加部８１が識別子を識別子サブキャリアによって伝送することは図８の実施の形態と同様である。
【０１６４】
一方、受信側においては、受信部２２からのＯＦＤＭシンボルは受信ＯＦＤＭ信号受信部８２に与えられて、サブキャリア系列が得られる。このサブキャリア系列はサブキャリアデインターリーブ部５９に与えられる。受信側においては、サブキャリアデインターリーブ手順選択制御部５６によって、送信側で用いたサブキャリアインターリーブ手順＃１乃至＃Ｎに対応したサブキャリアデインターリーブ手順＃１乃至＃Ｎが選択されており、サブキャリアデインターリーブ部５９は、指定されたサブキャリアデインターリーブ手順でサブキャリアデインターリーブを行い、復調部８２にて元のディジタルデータ系列を復元して出力するようになっている。
【０１６５】
他の構成は、図６及び図８の実施の形態と同様である。
【０１６６】
次に、このように構成された実施の形態の動作について説明する。
【０１６７】
ディジタル送信データ系列は、ＯＦＤＭシンボルを生成する単位に区切られて変調部１７に入力される。変調部１７は送信データ系列をサブキャリアデータ系列に変換してサブキャリアインターリーブ部５０に出力する。サブキャリアインターリーブ手順選択部５５は、サブキャリアインターリーブ手順選択制御部５４に制御されて、複数のサブキャリアインターリーブ手順＃１乃至＃Ｎのうちの１つを選択してサブキャリアインターリーブ部５０に出力する。
【０１６８】
サブキャリアインターリーブ部５０は、指定されたサブキャリアインターリーブ手順で、サブキャリアデータ系列をサブキャリアインターリーブして識別子サブキャリア付加部８１に出力する。
【０１６９】
識別子サブキャリア付加部８１にはサブキャリアインターリーブ手順選択制御部５４からサブキャリアインターリーブに用いられたサブキャリアインターリーブ手順を示す情報が与えられており、識別子サブキャリア付加部８１は、この情報を識別子サブキャリアとして送信データに基づくサブキャリア系列に付加して出力する。
【０１７０】
送信側における他の処理は図６及び図８の実施の形態と同様である。送信ＯＦＤＭ信号生成部１８から出力されるＯＦＤＭシンボルの時間波形は、同一の送信データ系列であってもサブキャリアインターリーブ手順によって変化し、その最大振幅も変化する。送信側においては、複数のサブキャリアインターリーブ手順＃１乃至＃Ｎから送信に用いるサブキャリアインターリーブ手順を選択してサブキャリアインターリーブを行っているので、ＯＦＤＭシンボルの時間波形の最大振幅を比較的小さくすることが可能である。
【０１７１】
一方、受信側においては、受信部２２からのＯＦＤＭシンボルは受信ＯＦＤＭ信号受信部８２に与えられて、サブキャリア系列が得られる。このサブキャリア系列は識別子サブキャリア検出部８４に与えられて識別子サブキャリアが検出される。識別子サブキャリアから復調された識別子はサブキャリアデインターリーブ手順選択制御部５６に与えられて、送信側のサブキャリアインターリーブに対応したサブキャリアデインターリーブ手順が選択される。
【０１７２】
受信ＯＦＤＭ信号受信部８２からのサブキャリア系列はサブキャリアデインターリーブ部５９に与えられて、指定されたサブキャリアデインターリーブ手順でサブキャリアデインターリーブされる。こうして、元の順番のサブキャリア系列が復調部８３に供給されて、受信ディジタルデータ系列が得られる。
【０１７３】
他の作用は図６及び図８の実施の形態と同様である。
【０１７４】
このように、本実施の形態においては、図６及び図８の実施の形態と同様の効果が得られることは明らかである。
【０１７５】
また、送信側は、複数のサブキャリアインターリーブ手順記憶部を並列に有する構成で記述してあるが、サブキャリアインターリーブに必要な並べ替えテーブルをメモリに蓄積しておくだけの構成でもよい。サブキャリアインターリーブ手順を示す識別子は、並べ替えテーブルそのものを示す必要はなく、送信側と受信側で取り決めたサブキャリアインターリーブ手順とサブキャリアデインターリーブ手順との組み合わせを表す番号等でよい。これと対をなす受信側も、送信側と同様な構成でよい。
【０１７６】
上記図６乃至図１１の形態においては、識別子をサブキャリアによって伝送する例を示した。この場合には、図１２の説明図に示す付加の方法が考えられる。図１２は識別子サブキャリアを付加したＯＦＤＭサブキャリアを示している。
【０１７７】
周波数領域でサブキャリアを変調するＯＦＤＭ伝送方式では、一つのＯＦＤＭ信号を構成する複数のサブキャリアのうち、実線で示すサブキャリアを送信データ系列により変調し、破線で示すサブキャリアを識別子により変調する。識別子サブキャリアについては、サブキャリアインターリーブの対象外とすることで、識別子を受信側において認識可能にすることができる。
【０１７８】
なお、識別子サブキャリアの本数は、送受信装置で予め用意するスクランブル方法の数、符号化方法の数、ビットインターリーブ手順の数、サブキャリアインターリーブ手順の数を表現可能な数に設定する。また、この本数はサブキャリアの変調方式にも依存する。
【０１７９】
図１３及び図１４は識別子として送信側と受信側とで対となる組み合わせを伝送する場合の組み合わせの例を示す図表である。図１３はサブキャリア変調としてＡＳＫ変調を行う場合の例を示し、図１４はサブキャリア変調としてＢＰＳＫ変調を行う場合の例を示している。また、識別子として３本のサブキャリアを利用するものとしている。
【０１８０】
例えば、送受信装置で８通りの組合せを有するスクランブル／デスクランブル方法、符号化／復号化方法、ビットインターリーブ手順／ビットデインターリーブ手順、サブキャリアインターリーブ手順／サブキャリアデインターリーブ手順を用意しているものとする。
【０１８１】
この場合には、ＡＳＫ変調のサブキャリアで表現するには、図１３に示すように、３本のサブキャリアを必要とし、サブキャリアのＯＮ／ＯＦＦで識別子を伝送する。サブキャリアの振幅値や位相は全く問わない。サブキャリア振幅の有り／無しで識別子を伝送するのである。
【０１８２】
また、ＢＰＳＫ変調のサブキャリアで表現するには、図１４に示すように、ＡＳＫ変調と同様に３本のサブキャリアを必要とし、３本のサブキャリアの位相で識別子を伝送する。もちろん、多値ＰＳＫ変調を利用すると、識別子に割り当てるサブキャリア数を削減できるので、送信データ系列を多くのサブキャリアに割り当てることができる。例えば、ＱＰＳＫの場合、２本のサブキャリアを利用すると１６通りの識別子を伝送することができる。もちろん、ＱＡＭ等の高効率変調方式を利用すれば、１本のサブキャリアでも多くの識別子を伝送することが可能となる。
【０１８３】
【発明の効果】
以上説明したように本発明によれば、ＯＦＤＭ時間波形の振幅変動を抑圧し、送信平均電力を向上させることによりデータ伝送時の伝送誤りを軽減することができるという効果を有する。
【図面の簡単な説明】
【図１】本発明に係るＯＦＤＭ信号送受信装置の一実施の形態を示すブロック図。
【図２】本発明に係るＯＦＤＭ信号送受信方法の一実施の形態を示すフローチャート。
【図３】本発明に係るＯＦＤＭ信号送受信方法の一実施の形態を示すフローチャート。
【図４】本発明の他の実施の形態を示すブロック図。
【図５】本発明の他の実施の形態を示すブロック図。
【図６】本発明の他の実施の形態を示すブロック図。
【図７】実施の形態を説明するための説明図。
【図８】本発明の他の実施の形態を示すブロック図。
【図９】本発明の他の実施の形態を示すブロック図。
【図１０】本発明の他の実施の形態を示すブロック図。
【図１１】本発明の他の実施の形態を示すブロック図。
【図１２】実施の形態を説明するための説明図。
【図１３】実施の形態を説明するための図表。
【図１４】実施の形態を説明するための図表。
【符号の説明】
１０…スクランブル部、１１＃１乃至１１＃Ｎ…スクランブル系列生成部、１４…スクランブル方法選択制御部、１５…スクランブル系列選択部、１６…識別子付加部、２４…識別子検出部、２５…デスクランブルブ、２６…デスクランブル方法選択制御部、２７…デスクランブル系列選択部、２８＃１乃至＃Ｎ…デスクランブル系列生成部
【図１】
0003576787.tif 000002
【図２】
0003576787.tif 000003
【図３】
0003576787.tif 000004
【図４】
0003576787.tif 000005
【図５】
0003576787.tif 000006
【図６】
0003576787.tif 000007
【図７】
0003576787.tif 000008
【図８】
0003576787.tif 000009
【図９】
0003576787.tif 000010
【図１０】
0003576787.tif 000011
【図１１】
0003576787.tif 000012
【図１２】
0003576787.tif 000013
【図１３】
0003576787.tif 000014
【図１４】
0003576787.tif 000015